(57)【要約】      （修正有）【課題】框部の開きを補うことが出来るブラインド式雨戸を提供する。【解決手段】細長い板体により構成された複数のスラット１９からなるブラインド式雨戸において、複数のスラット１９の枚数は、スラット１９の短い方向の長さの合計が折りたたみ巾よりも大きくなるようにされている。この事により風を多く入れる効果がある。【選択図】図１
0003187505.tif 000002
【実用新案登録請求の範囲】
【請求項１】
建物の窓、又は、扉に取り付ける伸縮性自在な雨戸であって、前記雨戸のブラインド状態で現状より風を多く入れる事を特徴とするブラインド式雨戸。
【考案の詳細な説明】
【技術分野】
【０００１】本考案は、ブラインド式雨戸に関し、特に、屈伸リンクにより開扉または閉扉するブラインド式雨戸に関する。
【背景技術】
【０００２】従来の横引き雨戸では、閉扉時には、外の光を完全に遮断し、通気もできないため、採光や通気が必要なときは一旦開扉しなければならない。一方、開扉すると、採光や通気は可能となるものの、家屋等の中が外から見えてしまったり、外部から侵入しやすくなったりといったプライバシーや防犯上の問題が発生する。このようなことから、外出時には雨戸を完全に閉扉する必要があるため、採光及び通気することが非常に困難である。【０００３】このような問題を解決するためのものとしてブラインド式雨戸がある。
このブラインド式雨戸は、屈伸リンクにより連絡させた複数の板状のスラットを、上部及び下部のサッシに沿って移動可能なように上部のサッシから吊設したものである。
その屈伸リンクをサッシに沿って伸長させると、それら複数のスラットが板の略正面を向き、雨戸が閉扉状態となる。一方、その屈折リンクをサッシに沿って収縮させると、それら複数のスラットは雨戸正面から所定の角度を傾いてお互いに平行に重なり、雨戸が閉じた状態のまま各スラット間が開口し、採光及び通気を行うことができる。また、このブラインド式雨戸は、開扉又は閉扉するとき、雨戸全体をスライドさせずに折り畳むようにすることから、従来の横引き雨戸と比べて軽微な力で開扉又は閉扉することができるようになっている。【０００４】このようなブラインド式雨戸に関するものとして、特許文献１が開示するところのブラインド式雨戸が提案されている。この特許文献１に開示されるブラインド式雨戸は従来のブラインド式雨戸と同様に複数のスラットが雨戸の正面から所定の角度傾いて互いに平行になり雨戸が閉じた状態のまま各スラット間が開口するように構成されており、閉扉したままある程度の採光及び通気が可能となっている。また、このブラインド式雨戸は従来のものに比べて取付部材の軽量化や取付方法の簡易化等により家屋への取付が容易になっている。
【特許文献１】  特許第２９５８３０４号
【０００５】（ブラインド式雨戸の構成）
以下、本実施の形態におけるブラインド式雨について説明するが、便宜上、雨戸の外側を表面、家屋側を裏面、表面側からみて左右両端側を側面とする。図１は本考案の一実施形態におけるブラインド式雨戸開扉時の縦断面図である。
また、図２は、本実施の形態における開扉時の横断面図であり、図１のＡ−Ａ線で切った断面を示している。図に示すように、建物１の壁面には、窓又は、扉用の開口部２が設けられており、この開口部２にはサッシ３が設置されている。また、このサッシ３のガイドレールに沿ってスライド開閉可能なように、窓戸４がサッシに取り付けられている。
また、建物１の外壁６には、ステンレス又はアルミニウム製の雨戸用案内枠２０が固定されている。この雨戸用案内枠２０には、窓戸４を閉じるための左右一対のブラインド式雨戸１９が、窓戸４の開閉方向と略同方向に開閉可能なように嵌合されている。なお、このブラインド式雨戸１９は、例えばアルミニウム製である。【０００６】図３は前述の雨戸用案内枠２０の表面側を示す図である。図に示すように、この雨戸用案内枠２０は、開口部２に対して四辺形状に形成されている。また、雨戸用案内枠２０はこの四辺形状の上辺部を構成する上枠２１と下辺部を構成する下枠２２と側辺部を構成する左右一対の縦枠２３と有して構成されている。【０００７】図４は、そのブラインド式雨戸１９の正面図である。また、図３は、そのブラインド式雨戸１９の拡大斜視図である。
図に示すように、ブラインド式折戸１９は、短冊状に形成された複数のスラット３８と、この各スラット３８の上端部及び下端部を連結する伸縮自在のレージトング４１と、上側のレージトング４１を庇体３７のガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００８】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。【０００９】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。【００１０】図６は、そのブラインド式雨戸１９の横断面図である。図に示すように、ブラインド式雨戸１９の端部には、鍵・錠などのロック機構を有する框部５５が取り付けられている。この左右両框部５５は、左右のブラインド式雨戸１９が閉じられたときには、互いに接触して、ロック機構により固定される。
【考案の概要】
【考案が解決しようとする課題】
【００１１】横引雨戸は、框部による開ける事によりレージトング４１が開きそこから風を入れる事になってるがワイドの大きい場合は框部の開きだけだとレージトング４１の開きが一定のためほとんど風が入ることがない。
【課題を解決するための手段】
【００１２】ワイドの大きさによりスラット１９を増やす事により框部の開きを補うことが出来るようにした。
【考案の効果】
【００１３】本考案の効果は、ブラインド状態（風を入れる間隔）を思うまま大きくする事が出来る。
【図面の簡単な説明】
【００１４】
【図１】本考案の一実施形態におけるブラインド式雨戸の開扉時の縦断面図である。
【図２】本考案の一実施形態における開扉時の横断面図である。
【図３】本考案の一実施形態における雨戸用案内枠の表面側を示す図である。
【図４】本考案の一実施形態におけるブラインド式雨戸の正面図である。
【図５】本考案の一実施形態におけるブラインド式雨戸の拡大斜視図である。
【図６】本考案の一実施形態におけるレージトング及びガイドローラの部分を拡大した分解斜視図である。
【図７−１】本考案の一実施形態におけるブラインド式雨戸の横断図面である。
【図７−２】本考案の一実施形態におけるブラインド式雨戸の横断図面である。
【図７−３】本考案の一実施形態におけるブラインド式雨戸の横断図面である。
【符号の説明】
【００１５】１    建物
２    開口部
３    サッシ
４    窓戸
６    外壁
１９  ブラインド式雨戸（スラット）
２０  雨戸用案内枠
２１  上枠（ヒサシ）
２２  下枠
２３  縦枠
２４  １２４  枠本体
２５  １２５  張出部
２６  弾性体
２７  固定具
２９  接着剤
３０  枠本体
３１  固定部
３２  保持部
３６  係合部
３７  庇体
３８  スラット
３９  １３９  ガイドレール
４０  １４０  ガイド穴
４１  レージトング
４２  ガイドローラ
４４  係止縁
４６  シール部材
４７ａ、４７ｂ  リンク
５０  回転軸
５１  ローラ部
５２  ベアリング
５５  框部
５５ａ  段差
【図１】
0003187505.tif 000003
【図２】
0003187505.tif 000004
【図３】
0003187505.tif 000005
【図４】
0003187505.tif 000006
【図５】
0003187505.tif 000007
【図６】
0003187505.tif 000008
【図７−１】
0003187505.tif 000009
【図７−２】
0003187505.tif 000010
【図７−３】
0003187505.tif 000011
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
細長い板体により構成された複数のスラットからなるブラインド式雨戸において前記複数のスラットの枚数は、前記スラットの短い方向の長さの合計が折りたたみ巾よりも大きくなるようにされているブラインド式雨戸。